【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
圧力分散デバイスであって、
ポリマー及び独立気泡を含む親水性の生体適合性ポリマーマトリックスを備え、
無傷皮膚領域または創傷に加わる圧力を分散させるべく、前記無傷皮膚領域または創傷に直接的に接触させて配置するように構成したことを特徴とするデバイス。
【請求項２】
前記無傷皮膚領域または創傷に加わる圧力が０キロパスカル（０ポンド／平方インチ）ないし３４．５キロパスカル（５ポンド／平方インチ）の範囲になるように、前記無傷皮膚領域または創傷に加わる圧力を前記無傷皮膚領域または創傷から分散させることを特徴とする、請求項１に記載のデバイス。
【請求項３】
当該デバイスに対して６．９キロパスカル（１ポンド／平方インチ）ないし３４５キロパスカル（５０ポンド／平方インチ）の範囲の圧力が加えられた場合に、前記無傷皮膚領域または創傷に加わる圧力が０キロパスカル（０ポンド／平方インチ）ないし３４．５キロパスカル（５ポンド／平方インチ）の範囲になるように、前記無傷皮膚領域または創傷に加わる圧力を前記無傷皮膚領域または創傷から分散させることを特徴とする、請求項１または請求項２に記載のデバイス。
【請求項４】
当該デバイスが、２．５４ミリメートル（０．１インチ）ないし２５．４ミリメートル（１インチ）の範囲の厚さを有することを特徴とする、請求項１ないし請求項３のいずれかに記載のデバイス。
【請求項５】
前記マトリックスが、前記無傷皮膚領域または創傷から水分を吸収することを特徴とする、請求項１ないし請求項４のいずれかに記載のデバイス。
【請求項６】
前記マトリックスが、前記無傷皮膚領域または創傷に水分を供給することを特徴とする、請求項１ないし請求項５のいずれかに記載のデバイス。
【請求項７】
前記ポリマーが、少なくとも部分的に架橋されていることを特徴とする、請求項１ないし請求項６のいずれかに記載のデバイス。
【請求項８】
前記ポリマーが、吸収性、エラストマー性、及び生体適合性を有するポリマーまたはコポリマーであることを特徴とする、請求項１ないし請求項７のいずれかに記載のデバイス。
【請求項９】
前記吸収性、エラストマー性、及び生体適合性を有するポリマーまたはコポリマーが、ポリアクリルアミド、ポリアクリレート、ポリヒドロキシエチルメタクリレート、ポリメタクリルアミド、ポリエステル、ポリエチレングリコール、ポリエーテル、ポリウレタン、ポリエチレンオキシド、ポリビニルピロリドン、シリコーンエラストマー、またはこれらの任意の組み合わせを含むことを特徴とする、請求項８に記載のデバイス。
【請求項１０】
当該デバイスが、多糖類をさらに含むことを特徴とする、請求項８に記載のデバイス。
【請求項１１】
前記多糖類が、デキストリン、グアーガム、ルーサン、フェヌグリーク、キサンタンガム、ハニーローカストビーンガム、ホワイトクローバービーンガム、キャロブローカストビーンガム、カラギーナン、アルギン酸ナトリウム、キチン、キトサン、セルロース、またはこれらの任意の組み合わせを含むことを特徴とする、請求項１０に記載のデバイス。
【請求項１２】
当該デバイスが、気体をさらに含み、
前記気体が、前記独立気泡に含まれていることを特徴とする、請求項１ないし請求項１１のいずれかに記載のデバイス。
【請求項１３】
溶解形態の前記気体が、前記独立気泡内または前記独立気泡間に含まれていることを特徴とする、請求項１２に記載のデバイス。
【請求項１４】
前記気体が、酸素、窒素、一酸化窒素、二酸化炭素、空気、ヘリウム、またはこれらの任意の組み合わせを含むことを特徴とする、請求項１２に記載のデバイス。
【請求項１５】
当該デバイスが、活性剤をさらに含むことを特徴とする、請求項１ないし請求項１４のいずれかに記載のデバイス。
【請求項１６】
前記活性剤が、抗菌剤、抗真菌剤、防汚剤、鎮痛剤、脱臭剤、ナノ粒子、栄養素、成長因子、生物製剤、またはこれらの任意の組み合わせを含むことを特徴とする、請求項１５に記載のデバイス。
【請求項１７】
当該デバイスが、超吸収性材料をさらに含むことを特徴とする、請求項１ないし請求項１６のいずれかに記載のデバイス。
【請求項１８】
当該デバイスが、２次元型の形状を有することを特徴とする、請求項１ないし請求項１７のいずれかに記載のデバイス。
【請求項１９】
当該デバイスが、非平面形状を有する身体の部分に適合するように、３次元型のシームレスな形状を有することを特徴とする、請求項１ないし請求項１７のいずれかに記載のデバイス。
【請求項２０】
前記身体の部分が、手の指、足の指、手、足、膝、肘、かかと、切断患者の断端、または仙骨領域であることを特徴とする、請求項１９に記載のデバイス。
【請求項２１】
当該デバイスが、１層以上の前記生体適合性ポリマーマトリックスを含むことを特徴とする、請求項１ないし請求項２０のいずれかに記載のデバイス。
【請求項２２】
当該デバイスが、連続気泡をさらに含むことを特徴とする、請求項１ないし請求項２１のいずれかに記載のデバイス。
【請求項２３】
無傷皮膚領域または創傷の周囲の褥瘡を予防または治療するシステムであって、
ポリマー及び独立気泡を含む親水性の生体適合性ポリマーマトリックスを備え、
前記マトリックスによって、
前記無傷皮膚領域または創傷に加わる圧力を分散させ、
前記無傷皮膚領域または創傷の周囲の水分を管理し、かつ、
前記無傷皮膚領域または創傷またはその真下に存在する組織に対して治療剤を送達するように構成したことを特徴とするシステム。
【請求項２４】
前記無傷皮膚領域または創傷に加わる圧力が０キロパスカル（０ポンド／平方インチ）ないし３４．５キロパスカル（５ポンド／平方インチ）の範囲になるように、前記無傷皮膚領域または創傷に加わる圧力を前記無傷皮膚領域または創傷から分散させることを特徴とする、請求項２３に記載のシステム。
【請求項２５】
当該システムに対して６．９キロパスカル（１ポンド／平方インチ）ないし３４５キロパスカル（５０ポンド／平方インチ）の範囲の圧力が加えられた場合に、前記無傷皮膚領域または創傷に加わる圧力が０キロパスカル（０ポンド／平方インチ）ないし３４．５キロパスカル（５ポンド／平方インチ）の範囲になるように、前記無傷皮膚領域または創傷に加わる圧力を前記無傷皮膚領域または創傷から分散させることを特徴とする、請求項２３または請求項２４に記載のシステム。
【請求項２６】
前記マトリックスが、２．５４ミリメートル（０．１インチ）ないし２５．４ミリメートル（１インチ）の範囲の厚さを有することを特徴とする、請求項２３ないし請求項２５のいずれかに記載のシステム。
【請求項２７】
当該システムが、前記無傷皮膚領域または創傷から水分を吸収することを特徴とする、請求項２３ないし請求項２６のいずれかに記載のシステム。
【請求項２８】
当該システムが、前記無傷皮膚領域または創傷に水分を供給することを特徴とする、請求項２３ないし請求項２７のいずれかに記載のシステム。
【請求項２９】
前記ポリマーが、少なくとも部分的に架橋されていることを特徴とする、請求項２３ないし請求項２８のいずれかに記載のシステム。
【請求項３０】
前記ポリマーが、吸収性、エラストマー性、及び生体適合性を有するポリマーまたはコポリマーであることを特徴とする、請求項２３ないし請求項２９のいずれかに記載のシステム。
【請求項３１】
前記吸収性、エラストマー性、及び生体適合性を有するポリマーまたはコポリマーが、ポリアクリルアミド、ポリアクリレート、ポリヒドロキシエチルメタクリレート、ポリメタクリルアミド、ポリエステル、ポリエチレングリコール、ポリエーテル、ポリウレタン、ポリエチレンオキシド、ポリビニルピロリドン、シリコーンエラストマー、またはこれらの任意の組み合わせを含むことを特徴とする、請求項３０に記載のシステム。
【請求項３２】
前記マトリックスが、多糖類をさらに含むことを特徴とする、請求項３０に記載のシステム。
【請求項３３】
前記多糖類が、デキストリン、グアーガム、ルーサン、フェヌグリーク、キサンタンガム、ハニーローカストビーンガム、ホワイトクローバービーンガム、キャロブローカストビーンガム、カラギーナン、アルギン酸ナトリウム、キチン、キトサン、セルロース、またはこれらの任意の組み合わせを含むことを特徴とする、請求項３２に記載のシステム。
【請求項３４】
前記治療剤が気体であり、
前記気体が、前記独立気泡に含まれていることを特徴とする、請求項２３ないし請求項３３のいずれかに記載のシステム。
【請求項３５】
溶解形態の前記気体が、前記独立気泡内または前記独立気泡間に含まれていることを特徴とする、請求項３４に記載のシステム。
【請求項３６】
前記気体が、酸素、窒素、一酸化窒素、二酸化炭素、空気、ヘリウム、またはこれらの任意の組み合わせを含むことを特徴とする、請求項３４に記載のシステム。
【請求項３７】
当該システムが、活性剤をさらに含むことを特徴とする、請求項２３ないし請求項３６のいずれかに記載のシステム。
【請求項３８】
前記活性剤が、抗菌剤、抗真菌剤、防汚剤、鎮痛剤、脱臭剤、ナノ粒子、栄養素、成長因子、生物製剤、またはこれらの任意の組み合わせを含むことを特徴とする、請求項３７に記載のシステム。
【請求項３９】
当該システムが、超吸収性材料をさらに含むことを特徴とする、請求項２３ないし請求項３８のいずれかに記載のシステム。
【請求項４０】
前記マトリックスが、２次元型の形状を有することを特徴とする、請求項２３ないし請求項３９のいずれかに記載のシステム。
【請求項４１】
前記マトリックスが、非平面形状を有する身体の部分に適合するように、３次元型のシームレスな形状を有することを特徴とする、請求項２３ないし請求項３９のいずれかに記載のシステム。
【請求項４２】
前記身体の部分が、手の指、足の指、手、足、膝、肘、かかと、切断患者の断端、または仙骨領域であることを特徴とする、請求項４１に記載のシステム。
【請求項４３】
当該システムが、１層以上の前記生体適合性ポリマーマトリックスを含むことを特徴とする、請求項２３ないし請求項４２のいずれかに記載のシステム。
【請求項４４】
前記マトリックスが、連続気泡をさらに含むことを特徴とする、請求項２３ないし請求項４３のいずれかに記載のシステム。